(57)【要約】【課題】  電話端末の電話番号を相手に教えることなくその相手から電話を受けることのできるシステムを構築可能な電話交換装置を提供する。【解決手段】  第１グループの会員Ｐａ（会員番号：０１２０−１１１１−０００１）が、携帯電話端末２０ａ（０９０−１２３４−５６７８）から第２グループの会員Ｐｂの会員番号（０１２０−２２２２−０００１）を発信先電話番号として電話をかけると、電話交換装置１０で着信される。電話交換装置１０は、発信元電話番号に基づき第１グループの会員Ｐａからの電話であることを把握し、この会員Ｐａから利用料の徴収が可能であることを確認した上で、この会員Ｐａの会員番号を発信元電話番号とするとともに会員Ｐｂの携帯電話番号（０９０−２３４５−６７８９）を発信先電話番号として電話をかけ、会員Ｐａの携帯電話端末２０ａと会員Ｐｂの携帯電話端末２０ｂとを通話可能に接続する。【選択図】  図４
2006333331.tif 000002
【特許請求の範囲】
【請求項１】
あらかじめ割り当てられている複数の電話番号（以下「割当電話番号」という。）を発信先として外部の電話端末からかけられた電話を着信する着信処理を行う着信手段と、
前記複数の割当電話番号のそれぞれに対応させて外部の電話端末の電話番号（以下「外部電話番号」という。）を記憶する記憶手段と、
前記着信手段により着信された電話の発信先電話番号に対応して前記記憶手段により記憶されている外部電話番号を発信先として電話をかける発信処理を行うことにより、前記着信手段により着信された電話の発信元の電話端末と前記発信処理による発信先の電話端末とを通信可能に接続する処理を行う接続処理手段と、
を備えたことを特徴とする電話交換装置。
【請求項２】
前記記憶手段は、前記複数の割当電話番号のうちの一部の割当電話番号について、その割当電話番号に対応させて記憶している外部電話番号の電話端末の所持者から料金を徴収する処理を行うための情報である課金情報を記憶しており、
前記接続処理手段は、次の（１）〜（３）の処理を行うこと
を特徴とする請求項１に記載の電話交換装置。
（１）前記着信手段により着信された電話の発信元電話番号が前記一部の割当電話番号に対応する外部電話番号として前記記憶手段により記憶されている場合には、前記発信処理を行うとともにその割当電話番号に対応して前記記憶手段により記憶されている課金情報に基づき所定の料金を徴収する処理を行う。
（２）前記（１）の場合以外の場合であって、前記着信手段により着信された電話の発信先電話番号が前記一部の割当電話番号として前記記憶手段により記憶されている場合には、前記発信処理を行うとともにその割当電話番号に対応して前記記憶手段に記憶されている課金情報に基づき所定の料金を徴収する処理を行う。
（３）前記（１）及び前記（２）以外の場合には、前記発信処理を行わない。
【請求項３】
前記接続処理手段は、前記課金情報に基づき所定の料金を徴収可能であるか否かを判定し、徴収可能でないと判定した場合には前記発信処理を行わないこと
を特徴とする請求項２に記載の電話交換装置。
【請求項４】
前記接続処理手段は、前記着信手段により着信された電話の発信元電話番号が前記記憶手段により外部電話番号として記憶されている場合には、その外部電話番号に対応する割当電話番号が発信元電話番号となるように前記発信処理を行うこと
を特徴とする請求項１から請求項３までのいずれか１項に記載の電話交換装置。
【請求項５】
前記割当電話番号は、「０１２０」から始まる電話番号であること
を特徴とする請求項１から請求項４までのいずれか１項に記載の電話交換装置。
【発明の詳細な説明】
【技術分野】
【０００１】
本発明は、電話端末間を通信可能に接続するための処理を行う電話交換装置に関するものである。
【背景技術】
【０００２】
従来、携帯電話や固定電話等の電話端末間で通話を行うための通信システムにおいては、発信元の電話端末において発信先の電話端末の電話番号がダイヤルされることにより通話のための通信接続が行われる。このため、電話をかける側（発信元）は、電話を受ける側（発信先）の電話端末の電話番号を把握している必要がある。
【０００３】
なお、上述した内容は公知・公用の技術であり、出願人は特に先行技術調査を行っていないため、先行技術文献の開示については行わない。
【発明の開示】
【発明が解決しようとする課題】
【０００４】
ところで、ある相手から電話で連絡を受けたい場合に、その相手が十分に信頼関係の得られている者であればよいが、信頼関係の得られていない者であるときには、電話端末の電話番号を教えることは好ましいことではない。電話端末の電話番号は重要な個人情報であり、悪用されることも考えられるからである。
【０００５】
本発明は、こうした問題にかんがみてなされたものであり、電話端末の電話番号を相手に教えることなくその相手から電話を受けることのできるシステムを構築可能な電話交換装置を提供することを目的としている。
【課題を解決するための手段】
【０００６】
上記目的を達成するためになされた本発明の請求項１に記載の電話交換装置は、本電話交換装置にあらかじめ割り当てられている複数の電話番号（以下「割当電話番号」という。）を発信先として外部の電話端末からかけられた電話を着信する着信処理を行う着信手段と、複数の割当電話番号のそれぞれに対応させて外部の電話端末の電話番号（以下「外部電話番号」という。）を記憶する記憶手段と、着信手段により着信された電話の発信先電話番号に対応して記憶手段により記憶されている外部電話番号を発信先として電話をかける発信処理を行うことにより、着信手段により着信された電話の発信元の電話端末と発信処理による発信先の電話端末とを通信可能に接続する処理を行う接続処理手段と、を備えたことを特徴とするものである。
【０００７】
このような構成の電話交換装置が用いられた通信システムにおいては、割当電話番号Ｗ２（例えば０１２０−２２２２−０００２）を発信先として外部の電話端末Ｔ１から電話をかけると、電話交換装置において着信され、その割当電話番号Ｗ２に対応して記憶手段により記憶されている外部電話番号Ｇ２（例えば０９０−２３４５−６７８９）を発信先として電話がかけられることにより、外部電話番号Ｇ２の電話端末Ｔ２と発信元の電話端末Ｔ１とが通信可能に接続される。
【０００８】
したがって、本発明の電話交換装置によれば、記憶手段に記憶された外部電話番号の電話端末の所持者は、その外部電話番号（本来の電話番号）とは異なる割当電話番号（電話交換装置の電話番号）により電話を受けることができる。この結果、電話端末の電話番号を相手に教えることなくその相手から電話を受けることが可能となる。
【０００９】
また、請求項２に記載の電話交換装置では、上記請求項１に記載の電話交換装置において、記憶手段は、複数の割当電話番号のうちの一部の割当電話番号について、その割当電話番号に対応させて記憶している外部電話番号の電話端末の所持者から料金を徴収する処理を行うための情報である課金情報を記憶しており、接続処理手段は、次の（１）〜（３）の処理を行う。
【００１０】
（１）着信手段により着信された電話の発信元電話番号が上記一部の割当電話番号に対応する外部電話番号として記憶手段により記憶されている場合には、上記発信処理を行うとともにその割当電話番号に対応して記憶手段により記憶されている課金情報に基づき所定の料金を徴収する処理を行う。
【００１１】
（２）上記（１）の場合以外の場合（着信手段により着信された電話の発信元電話番号が上記一部の割当電話番号に対応する外部電話番号として記憶手段により記憶されていない場合）であって、着信手段により着信された電話の発信先電話番号が上記一部の割当電話番号として記憶手段により記憶されている場合には、上記発信処理を行うとともにその割当電話番号に対応して記憶手段に記憶されている課金情報に基づき所定の料金を徴収する処理を行う。
【００１２】
（３）上記（１）及び上記（２）以外の場合（上記（１）の場合以外の場合であって、着信手段により着信された電話の発信先電話番号が上記一部の割当電話番号として記憶手段により記憶されていない場合）には、上記発信処理を行わない。
【００１３】
このような構成の電話交換装置が用いられた通信システムにおいては、課金情報が記憶された者Ｐ１の電話端末Ｔ１から割当電話番号Ｗ２（例えば０１２０−２２２２−０００２）を発信先として電話をかけると、電話交換装置において着信され、その割当電話番号Ｗ２に対応して記憶手段により記憶されている外部電話番号Ｇ２（例えば０９０−２３４５−６７８９）を発信先として電話がかけられるとともに、発信元の電話端末の所持者Ｐ１から所定の料金を徴収する処理が行われる。
【００１４】
一方、課金情報が記憶されていない者Ｐ２の電話端末Ｔ２から割当電話番号Ｗ１（例えば０１２０−１１１１−０００１）を発信先として電話をかけると、電話交換装置において着信され、その割当電話番号Ｗ１に対応して記憶手段により記憶されている外部電話番号Ｇ１（例えば０９０−１２３４−５６７８）の電話端末の所持者について課金情報が記憶されているか否かが判定される。そして、課金情報が記憶されていると判定された場合には、その割当電話番号Ｗ１に対応して記憶手段により記憶されている外部電話番号Ｇ１を発信先として電話がかけられるとともに、発信先の電話端末の所持者Ｐ１から所定の料金を徴収する処理が行われる。これに対し、課金情報が記憶されていないと判定された場合には、外部電話番号Ｇ１を発信先として電話がかけられない。つまり、発信元及び発信先のいずれからも所定の料金を徴収できない場合には通信の接続処理を行わないようにしている。
【００１５】
したがって、この電話交換装置によれば、割当電話番号を発信先とした通信の接続処理を行うサービスについて、一部の利用者（例えば男性の利用者）のみから所定の料金を徴収するシステムを構築することができる。
【００１６】
また、請求項３に記載の電話交換装置では、上記請求項２に記載の電話交換装置において、接続処理手段は、課金情報に基づき所定の料金を徴収可能であるか否かを判定し、徴収可能でないと判定した場合（例えば、前払い金額が所定値以下となっている場合）には発信処理を行わない。この構成によれば、料金を徴収できない状態であるにもかかわらず通信の接続処理が行われてしまうことを防ぐことができる。
【００１７】
さらに、請求項４に記載の電話交換装置では、上記請求項１〜３のいずれかに記載の電話交換装置において、接続処理手段は、着信手段により着信された電話の発信元電話番号が記憶手段により外部電話番号として記憶されている場合には、その外部電話番号に対応する割当電話番号が発信元電話番号となるように発信処理を行う。このため、本電話交換装置によれば、発信元の電話端末の電話番号を発信先に知られないようにしつつ発信元を識別させることが可能となる。これにより、発信元と発信先とが互いの電話端末の電話番号を知らない状態で、通常の通話と同様の自由な通話を行うことのできるシステムを構築することができる。
【００１８】
一方、請求項５に記載の電話交換装置は、上記請求項１〜４のいずれかに記載の電話交換装置において、割当電話番号が「０１２０」から始まる電話番号であることを特徴としている。これによれば、通話料が利用者ではなく電話交換装置１０の管理者に請求されることとなるため、通話料も含めた利用料の一括管理を容易にすることができる。また、認知度の高いフリーダイヤル番号を発信先として電話をかけることとなるため、利用者に安心感を与えることができる。
【発明を実施するための最良の形態】
【００１９】
以下、本発明が適用された実施形態について、図面を用いて説明する。
［１．全体構成］
図１は、実施形態の電話交換装置１０の概略構成を表すブロック図である。
【００２０】
同図に示すように、この電話交換装置１０は、複数の携帯電話端末２０，２０，…と通信ネットワーク３０（電話による音声通信（通話）を可能とするネットワーク）を介して通信可能に構成されたものであり、受信部１１、送信部１２、交換制御部１３及び記憶部１４を備えている。
【００２１】
受信部１１は、本電話交換装置１０の電話番号としてあらかじめ割り当てられている複数の電話番号（後述する会員番号）を発信先として外部の電話端末（例えば携帯電話端末２０や図示しない固定電話（一般電話）端末等）からかけられた電話を着信する処理（着信処理）を行う。
【００２２】
送信部１２は、交換制御部１３により指示された電話番号を発信先として外部の電話端末（本実施形態では携帯電話端末２０）へ接続要求信号を発信する処理（発信処理）を行う。
【００２３】
交換制御部１３は、受信部１１で着信した電話の発信元の電話端末と送信部１２で発信した発信先の電話端末とを通話可能に接続する処理を行う。
記憶部１４は、本電話交換装置１０を利用する者として登録された会員の情報を記憶する。具体的には、図２に示すように、各会員についての情報として、会員番号、会員種別、携帯電話番号、課金方法及び課金詳細情報を記憶する。ここで、各情報について説明する。
【００２４】
会員番号は、「０１２０」で始まる電話番号（フリーダイヤル）の形式のものであり、これらの電話番号（会員番号）は、本電話交換装置１０の電話番号として割り当てられているものである。つまり、本電話交換装置１０は、会員番号を電話番号とする電話端末としての機能を有している。
【００２５】
会員種別は、会員が第１グループ及び第２グループのいずれの会員であるかを識別するためのものである。すなわち、本電話交換装置１０の会員は、第１グループ及び第２グループのいずれか一方に分類されており、第１グループの会員の会員種別を「１」、第２グループの会員の会員種別を「２」として登録している。本実施形態では、本電話交換装置１０の利用料（通信料＋α）を第１グループの会員から徴収し、第２グループの会員からは利用料を徴収しないという取り決めとしている。例えば、男性の会員を第１グループとし、女性の会員を第２グループとすれば、男性の会員のみから利用料を徴収するシステムを構築することができる。
【００２６】
携帯電話番号は、会員が所持する携帯電話端末２０の電話番号である。
課金方法は、本電話交換装置１０の利用料を会員から徴収する方法であり、この例ではクレジットカード又はプリペイドカードである。
【００２７】
課金詳細情報は、会員から利用料を徴収する処理を行うために必要な情報である。具体的には、課金方法がクレジットカードの場合にはカード番号等であり、プリペイドカードの場合には課金可能残高の値である。
【００２８】
なお、上述のように、本実施形態では第２グループの会員からは利用料を徴収しないという取り決めとしているため、第２グループの会員については課金方法や課金詳細情報の情報が存在しない。
【００２９】
［２．制御部が実行する処理］
次に、交換制御部１３が実行する電話交換管理処理について、図３のフローチャートを用いて説明する。なお、本電話交換管理処理は、本電話交換装置１０に割り当てられているいずれかの電話番号（会員番号）を発信先として外部の電話端末からかけられた電話が受信部１１で着信されることにより開始される。
【００３０】
この電話交換管理処理が開始されると、まず、Ｓ１０１で、受信部１１で着信した電話の発信元電話番号が第１グループにおけるいずれかの会員の携帯電話番号であるか否かを判定する。つまり、発信元の携帯電話端末２０の所持者が第１グループの会員であるか否かを判定するのである。
【００３１】
そして、Ｓ１０１で、着信した電話の発信元電話番号が第１グループにおけるいずれかの会員の携帯電話番号であると判定した場合には、Ｓ１０２へ移行し、発信元の会員（第１グループの会員）から利用料を徴収可能であるか否かを判定する。具体的には、課金方法がクレジットカードである場合、又は、課金方法がプリペイドカードであって課金可能残高が一定額以上である場合に、利用料を徴収可能であると判定する。
【００３２】
そして、Ｓ１０２で、発信元の会員から利用料を徴収可能であると判定した場合には、Ｓ１０３へ移行し、発信元の携帯電話端末２０と発信先の携帯電話端末２０とを通話可能に接続する電話交換処理を行う。具体的には、着信した電話の発信元の会員番号である電話番号を発信元とし、着信した電話の発信先電話番号（会員番号）に対応する会員の携帯電話番号を発信先として、電話の発信処理を送信部１２に行わせる。このため、発信先の携帯電話端末２０には、発信元電話番号として携帯電話番号（０９０…）ではなく会員番号（０１２０…）が通知（携帯電話端末２０の画面に表示）されることとなる。
【００３３】
続いて、Ｓ１０４では、課金対象者の会員の課金方法に応じて料金を徴収する課金処理を行う。具体的には、クレジットカード会社へ課金処理のための情報を送信する処理や、プリペイドカードの課金可能残高を減算する処理などを行う。その後、本電話交換管理処理を終了する。
【００３４】
一方、Ｓ１０２で、発信元の会員から利用料を徴収可能でないと判定した場合には、Ｓ１０５へ移行し、発信元からの電話を切断する処理を行う。その後、本電話交換管理処理を終了する。つまり、発信元の会員から利用料を徴収できない場合には、発信元の携帯電話端末２０と発信先の携帯電話端末２０との接続処理を行わないようにしているのである。
【００３５】
これに対し、Ｓ１０１で、着信した電話の発信元電話番号が第１グループにおけるいずれかの会員の携帯電話番号でないと判定した場合（つまり、第２グループにおけるいずれかの会員の携帯電話番号又は非会員の電話番号であると判定した場合）には、Ｓ１０６へ移行し、発信先の会員から利用料を徴収可能であるか否かを判定する。具体的には、着信した電話の発信先電話番号（会員番号）に対応する会員が第１グループの会員であり、かつ、課金方法がクレジットカードである場合又は課金方法がプリペイドカードであって残金が一定額以上である場合に、利用料を徴収可能であると判定する。このため、発信先電話番号が第２グループにおけるいずれかの会員の会員番号である場合には、利用料を徴収可能でないと判定することとなる。
【００３６】
そして、Ｓ１０６で、発信先の会員から利用料を徴収可能であると判定した場合には、Ｓ１０３へ移行し、上述のように、発信元の電話端末（携帯電話端末２０に限らず固定電話端末等の場合もあり得る）と発信先の携帯電話端末２０とを通話可能に接続する電話交換処理を行い、更にＳ１０４で課金処理を行った後、本電話交換管理処理を終了する。
【００３７】
一方、Ｓ１０６で、発信先の会員から利用料を徴収可能でないと判定した場合には、Ｓ１０５へ移行し、上述のように、発信元からの電話を切断する処理を行った後、本電話交換管理処理を終了する。
【００３８】
［３．通信の具体例］
次に、本実施形態の電話交換装置１０によって実現される通信の具体例について説明する。
【００３９】
［３．１  第１グループの会員から第２グループの会員への発信］
まず、第１グループの会員が第２グループの会員へ電話をかけた場合の通信例について図４を用いて説明する。
【００４０】
第１グループの会員Ｐａ（会員番号：０１２０−１１１１−０００１）が、自己の所持する携帯電話端末２０ａ（携帯電話番号：０９０−１２３４−５６７８）から、第２グループの会員Ｐｂの会員番号（０１２０−２２２２−０００１）を発信先電話番号として電話をかけると、電話交換装置１０で着信される。電話交換装置１０は、発信元電話番号（０９０−１２３４−５６７８）に基づき第１グループの会員Ｐａからの電話であることを把握し（Ｓ１０１：ＹＥＳ）、この会員Ｐａから利用料の徴収が可能であることを確認した上で（Ｓ１０２：ＹＥＳ）、この会員Ｐａの会員番号（０１２０−１１１１−０００１）を発信元電話番号とするとともに会員Ｐｂの携帯電話番号（０９０−２３４５−６７８９）を発信先電話番号として電話をかけ、会員Ｐａの携帯電話端末２０ａと会員Ｐｂの携帯電話端末２０ｂとを通話可能に接続する（Ｓ１０３）。このとき、会員Ｐｂの携帯電話端末２０ｂには、発信元電話番号として会員Ｐａの会員番号（０１２０−１１１１−０００１）が表示される。通話終了後、発信元である会員Ｐａから利用料を徴収する処理を行う（Ｓ１０４）。
【００４１】
［３．２  第２グループの会員から第１グループの会員への発信］
次に、第２グループの会員が第１グループの会員へ電話をかけた場合の通信例について図５を用いて説明する。
【００４２】
第２グループの会員Ｐｂ（会員番号：０１２０−２２２２−０００１）が、自己の所持する携帯電話端末２０ｂ（携帯電話番号：０９０−２３４５−６７８９）から、第１グループの会員Ｐａの会員番号（０１２０−１１１１−０００１）を発信先電話番号として電話をかけると、電話交換装置１０で着信される。電話交換装置１０は、発信元電話番号（０９０−２３４５−６７８９）に基づき第２グループの会員Ｐｂからの電話であることを把握するとともに（Ｓ１０１：ＮＯ）、着信した電話番号（０１２０−１１１１−０００１）に基づき第１グループの会員Ｐａへの電話であることを把握し、会員Ｐａから利用料の徴収が可能であることを確認した上で（Ｓ１０６：ＹＥＳ）、会員Ｐｂの会員番号（０１２０−２２２２−０００１）を発信元電話番号とするとともに会員Ｐａの携帯電話番号（０９０−１２３４−５６７８）を発信先電話番号として電話をかけ、会員Ｐｂの携帯電話端末２０ｂと会員Ｐａの携帯電話端末２０ａとを通話可能に接続する（Ｓ１０３）。このとき、会員Ｐａの携帯電話端末２０ａには、発信元電話番号として会員Ｐｂの会員番号（０１２０−２２２２−０００１）が表示される。通話終了後、発信先である会員Ｐａから利用料を徴収する処理を行う（Ｓ１０４）。
【００４３】
［３．３  非会員から第１グループの会員への発信］
次に、非会員が第１グループの会員へ電話をかけた場合の通信例について図６を用いて説明する。
【００４４】
非会員Ｐｃが、自己の所持する携帯電話端末２０ｃ（携帯電話番号：０９０−９８７６−５４３２）から、第１グループの会員Ｐａの会員番号（０１２０−１１１１−０００１）を発信先電話番号として電話をかけると、電話交換装置１０で着信される。電話交換装置１０は、発信元電話番号（０９０−９８７６−５４３２）に基づき非会員からの電話であることを把握するとともに（Ｓ１０１：ＮＯ）、着信した電話番号（０１２０−１１１１−０００１）に基づき第１グループの会員Ｐａへの電話であることを把握し、会員Ｐａから利用料の徴収が可能であることを確認した上で（Ｓ１０６：ＹＥＳ）、会員Ｐａの会員番号（０１２０−１１１１−０００１）を発信元電話番号とするとともに会員Ｐａの携帯電話番号（０９０−１２３４−５６７８）を発信先電話番号として電話をかけ、非会員Ｐｃの携帯電話端末２０ｃと会員Ｐａの携帯電話端末２０ａとを通話可能に接続する（Ｓ１０３）。このとき、会員Ｐａの携帯電話端末２０ａには、発信元電話番号として自己の会員番号（０１２０−１１１１−０００１）が表示される。通話終了後、発信先である会員Ｐａから利用料を徴収する処理を行う（Ｓ１０４）。
【００４５】
［３．４  非会員から第２グループの会員への発信］
次に、非会員が第２グループの会員へ電話をかけた場合の通信例について図７を用いて説明する。
【００４６】
非会員Ｐｃが、自己の所持する携帯電話端末２０ｃ（携帯電話番号：０９０−９８７６−５４３２）から、第２グループの会員Ｐｂの会員番号（０１２０−２２２２−０００１）を発信先電話番号として電話をかけると、電話交換装置１０で着信される。電話交換装置１０は、発信元電話番号（０９０−９８７６−５４３２）に基づき非会員からの電話であることを把握するとともに（Ｓ１０１：ＮＯ）、着信した電話番号（０１２０−２２２２−０００１）に基づき第２グループの会員Ｐｂへの電話であることを把握し（Ｓ１０６：ＮＯ）、利用料が徴収不可能であるため電話を切断する処理を行う（Ｓ１０５）。
【００４７】
［４．実施形態の効果］
以上説明したように、本実施形態の電話交換装置１０は、本電話交換装置１０にあらかじめ割り当てられている複数の電話番号（会員番号）を発信先として外部の電話端末からかけられた電話を着信する着信処理を行う。また、各会員が所持する携帯電話端末２０の電話番号（携帯電話番号）を会員番号に対応させて記憶しており、着信した電話の発信先電話番号に対応する携帯電話番号を発信先として電話をかける発信処理を行うことにより、着信した電話の発信元の電話端末と発信処理による発信先の携帯電話端末２０とを通信可能に接続する処理を行う。
【００４８】
このため、電話交換装置１０が用いられた通信システムにおいては、会員番号を発信先として外部の電話端末から電話をかけると、電話交換装置１０において着信され、その会員番号に対応する携帯電話番号を発信先として電話がかけられることにより、発信元と発信先とが通信可能に接続される。
【００４９】
したがって、本実施形態の電話交換装置１０によれば、携帯電話端末２０の電話番号が携帯電話番号として登録された者（会員）は、その携帯電話番号とは異なる会員番号（電話交換装置１０の電話番号）により電話を受けることができる。この結果、携帯電話端末２０の電話番号を相手に教えることなくその相手から電話を受けることが可能となる。
【００５０】
また、本実施形態の電話交換装置１０では、会員を第１グループ及び第２グループのいずれか一方に分類し、第１グループの会員のみから利用料を徴収するようにしている。このため、本電話交換装置１０によれば、会員番号を発信先とした通信の接続処理を行うサービスについて、例えば男性の会員のみから利用料を徴収するシステムを構築することができる。特に、本実施形態の電話交換装置１０では、利用料を徴収可能でないと判定した場合には発信処理を行わないようにしているため、料金を徴収できない状態であるにもかかわらず通信の接続処理が行われてしまうことを防ぐことができる。
【００５１】
さらに、本実施形態の電話交換装置１０では、着信された電話の発信元電話番号が会員の携帯電話番号である場合には、その会員の会員番号が発信元電話番号となるように発信処理を行うようにしている。このため、本電話交換装置１０によれば、発信元の会員と発信先の会員とが互いの携帯電話端末２０の電話番号を知らない状態で、通常の通話と同様自由な通話を実現することができる。しかも、発信元の携帯電話番号に代えて会員番号が発信先に通知されることにより、発信先において発信元を識別することができるため、単に番号通知を行わない場合と比較して高い効果を奏する。
【００５２】
加えて、本実施形態の電話交換装置１０では、会員番号としてフリーダイヤル番号（０１２０から始まる電話番号）を採用しているため、通信ネットワーク３０を管理する通信会社に対する通話料が、会員ではなく電話交換装置１０の管理者に請求されることとなり、通話料も含めた利用料の一括管理を容易にすることができる。また、フリーダイヤルは認知度が高いため、利用者に安心感を与えることができる。
【００５３】
［５．特許請求の範囲との対応］
なお、本実施形態の電話交換装置１０では、受信部１１が、本発明の着信手段に相当し、送信部１２と、電話交換管理処理（図３）を実行する交換制御部１３とが、本発明の接続処理手段に相当し、記憶部１４が、本発明の記憶手段に相当する。また、記憶部１４に記憶されている会員番号が、本発明の割当電話番号に相当し、携帯電話番号が、本発明の外部電話番号に相当し、課金方法及び課金詳細情報が、本発明の課金情報に相当する。
【００５４】
［６．他の形態］
以上、本発明の一実施形態について説明したが、本発明は、種々の形態を採り得ることは言うまでもない。
【００５５】
例えば、上記実施形態の電話交換装置１０では、会員の電話番号として携帯電話端末２０の電話番号のみを対象としているが、これに限ったものではなく、固定電話やＩＰ電話の端末やＰＨＳ等の電話番号を含めるようにしてもよい。
【００５６】
また、会員番号は、「０１２０」から始まる電話番号に限ったものではなく、例えば、「０５０」から始まる電話番号（ＩＰ電話の番号）とすることも可能であり、また、「０３」等から始まる電話番号（固定電話の番号）とすることも可能である。
【００５７】
さらに、上記実施形態の電話交換装置１０では、利用料が徴収できない場合には電話を接続しないようにしているが、これに限ったものではなく、例えば、利用態様に応じて会員にポイントを付与し、そのポイントを利用料代わりに用いることができるようにしてもよい。このようにすれば、例えば非会員から第２グループの会員へ電話をかけた場合に、第２グループの会員のポイントを利用料代わりに通話を可能とするといったことができる。
【図面の簡単な説明】
【００５８】
【図１】実施形態の電話交換装置の概略構成を表すブロック図である。
【図２】記憶部に記憶されている会員の情報を説明するための説明図である。
【図３】電話交換管理処理のフローチャートである。
【図４】第１グループの会員が第２グループの会員へ電話をかけた場合の通信例を説明するための説明図である。
【図５】第２グループの会員が第１グループの会員へ電話をかけた場合の通信例を説明するための説明図である。
【図６】非会員が第１グループの会員へ電話をかけた場合の通信例を説明するための説明図である。
【図７】非会員が第２グループの会員へ電話をかけた場合の通信例を説明するための説明図である。
【符号の説明】
【００５９】
１０…電話交換装置、１１…受信部、１２…送信部、１３…交換制御部、１４…記憶部、２０…携帯電話端末、３０…通信ネットワーク
【図１】
2006333331.tif 000003
【図２】
2006333331.tif 000004
【図３】
2006333331.tif 000005
【図４】
2006333331.tif 000006
【図５】
2006333331.tif 000007
【図６】
2006333331.tif 000008
【図７】
2006333331.tif 000009